(57)【要約】      （修正有）【課題】試料容器が大型あるいは多数であっても、装置を大型化せずとも混合すべき試料を効果的に混合することができる混合装置の提供。【解決手段】駆動装置の水平軸で回転しうる駆動軸に取り付けられ、該駆動軸まわりに放射状に配した複数の基板１２と、各基板の回動方向に対して背面方向の面上に試料容器２０を取り付けうる転倒板１３とを有し、各基板が回動したときに、各転倒板は基板の上でシーソー状に転動し、基板に衝突することで、容器内の試料の衝撃的な混合を反復して行うことができる混合装置１０。【選択図】図２
0003124425.tif 000002
【実用新案登録請求の範囲】
【請求項１】
駆動装置の水平軸で回転しうる駆動軸に、
放射状に取り付けられた複数の基板と、
各基板の回動方向に対して背面側であって、基板の放射方向のほぼ中間位置にシーソー状に転動可能に取り付けられた試料容器を取り付け用転倒板とよりなり、
駆動軸の回動により、各基板が回動したときに、該転倒板が重力により転倒し、該転倒板の開放側先端が、基板の開放側先端に衝突するようにし、その後基板の回動に従い該衝突部が離隔した状態に復元することを反復し得るように構成したことを特徴とする試料容器内の試料混合装置。
【請求項２】
各基板の転倒板との衝突位置に、転倒板の衝突による衝撃を緩和する熱可塑性樹脂部材を設けたことを特徴とする請求項１に記載の試料混合装置。
【請求項３】
各転倒板に取り付けるべき試料容器を、該試料容器を取り付け用転倒板の放射方向に取り付けられるようにしたことを特徴とする請求項１または２に記載の試料混合装置。
【請求項４】
各転倒板に取り付けるべき複数の試料容器を同一方向に保持し得る試料容器支持枠に保持せしめ得るようにしたことを特徴とする請求項１または２に記載の試料混合装置。
【請求項５】
１個の試料容器が縦横の壁で複数の容器に相当する区画がされ、蓋をなし得る試料容器を有する構造であって、各転倒板の試料容器支持枠に保持せしめ得るようにしたことを特徴とする請求項１または２に記載の試料混合装置。
【請求項６】
基板の幅方向の両側縁のほぼ中央の対称位置に、基板の幅方向に開口する小円管部を設け、転倒板の側縁に設けた端尺の軸体を回動自在に挿入し、転倒板を基板に対してシーソー状に転動可能に構成したことを特徴とする請求項１、２、３、４または５のいずれかに記載の試料混合装置。
【考案の詳細な説明】
【技術分野】
【０００１】
、
本考案は、主として分子生物学、生化学での実験に有用な混合装置、特に、流動性の試料を混合すべく、混合すべき試料を封入した試料容器を水平軸のまわりに回動させ、それにより試料容器を天地を逆転させることで、その内部の試料を流動させ混合する混合装置であって、特に、装置の回動中の試料容器に衝撃震盪を与えることで、これに封入した混合すべき試料を効果的に混合しうるようにするものである。
【背景技術】
【０００２】
流動性の試料の経時的な混合において、その間に試料の一部が沈殿することなく適切な結果を得ることが出来るように、試料を封入した試料容器の姿勢を絶えず変えることにより、その内部の試料を絶えず流動させつつ混合する混合装置が知られている。
【０００３】
このような混合装置としては、例えば実用新案登録第３０８５４１６号公報（特許文献１）に記載されているような、駆動装置の水平軸で回転しうる駆動軸に垂直に取り付けられ従回転する回転板に、複数の試料容器を各々が回転可能かつコイルバネで制止した状態で取り付け、試料容器の回動の軌跡に固定した係止軸を設けることで、試料容器は、その回動の過程で、係止軸に係止されつつ回動することによりコイルバネに抗して回転し、さらに回動して係止軸から外れたときに、コイルバネの復元力で素早く回転することで、その内部の試料の滞留を解消しうるように改良した混合装置がある。
【０００４】
また、垂直軸に回転円盤を取り付けその周囲に試料容器を取り付けこれにショックを与えた混合装置が実用新案登録第３１０８１４４号公報として知られている。
【０００５】
然しながら、このような混合装置では、並列的に多くの試料を混合することを目的としていながら、試料容器の数に制限があり、多数の試料容器を一度に処理するにはその回転板に取り付けようとする試料容器をより大型にするか、その回転板をより大径とする必要があり、そのため、混合装置を大型にすることが避けられないという問題がある。
また、混合すべき試料を封入した試料容器が多数になれば、これを混合装置に取り付ける作業あるいは取り外す作業は煩雑となる。
【０００６】
【特許文献１】実用新案登録第３０８５４１６号公報
【特許文献１】実用新案登録第３１０８１４４号公報
【考案の開示】
【考案が解決しようとする課題】
【０００７】
上述の点に鑑みて、従来の混合装置と比較して、混合すべき試料を封入した試料容器が小数の大型あるいは多数の小型のものであっても、装置を大型化しなくても混合すべき試料を急激なショックにより混合することができる混合装置を提供することを課題とする。
【課題を解決するための手段】
【０００８】
本考案は、混合装置を次の請求項記載の構成とすることで、上述の課題を解決するものである。
【０００９】
請求項１の考案による混合装置は、
駆動装置の水平軸で回転しうる駆動軸に、
放射状に取り付けられた複数の基板と、
各基板の回動方向に対して背面側であって、基板の放射方向のほぼ中間位置にシーソー状に転動可能に取り付けられた試料容器を取り付け用転倒板とよりなり、
駆動軸の回動により、各基板が回動したときに、該転倒板が重力により転倒し、該転倒板の開放側先端が、基板の開放側先端に衝突するようにし、その後基板の回動に従い該衝突部が離隔した状態に復元することを反復し得るように構成したことを特徴とする試料容器内の試料混合装置であり、
【００１０】
請求項２の考案は、
各基板の転倒板との衝突位置に、転倒板の衝突による衝撃を緩和する熱可塑性樹脂部材を設けたことを特徴とする請求項１に記載の試料混合装置であり、
【００１１】
請求項３の考案は、
各転倒板に取り付けるべき試料容器を、該試料容器を取り付け用転倒板の放射方向に取り付けられるようにしたことを特徴とする請求項１または２に記載の試料混合装置であり、
【００１２】
請求項４の考案は、
各転倒板に取り付けるべき複数の試料容器を同一方向に保持し得る試料容器枠に保持せしめ、試料容器枠を試料容器を取り付け用転倒板の幅方向に装着し得るようにしたことを特徴とする請求項１または２に記載の試料混合装置であり、
【００１３】
請求項５の考案は、
１個の試料容器が縦横の壁で複数の容器に相当する区画がされ、蓋をなし得る試料容器を有する構造であって、各転倒板の試料容器支持枠に保持せしめ得るようにしたことを特徴とする請求項１または２に記載の試料混合装置であり、
【００１４】
請求項６の考案は、
基板の幅方向の両側縁のほぼ中央の対称位置に、基板の幅方向に開口する小円管部を設け、転倒板の側縁に設けた端尺の軸体を回動自在に挿入し、転倒板を基板に対してシーソー状に転動可能に構成したことを特徴とする請求項１、２、３、４または５のいずれかに記載の試料混合装置である。
【考案の効果】
【００１５】
上述の如く構成した本考案による混合装置は、これに取り付けて混合すべき試料を封入した試料容器を、回転する基板の転倒板に取り付けて、これを水平軸で回動せしめることで、基板と転倒板の相対的位置関係を重力の影響下で変化させ、基板と転倒板の開放端の衝突と開放を反復することで、転倒板に装着された試料容器内の試料の効果的な混合を達成し、かつ試料容器のサイズや数に応じて、試験管状の試料容器のみならず、箱型の試料容器も使用し得るようにすることで、試験研究に応じた多数の試料の混合処理を有効に実施できるようにしたものであり、特に基板に対して転倒板がシーソー状に転動することで、開放端に於ける衝突効果により、試料の混合効果を向上するとともに、該衝突部に熱可塑性樹脂部材を設けることにより、衝突が次第に吸収されることで、基板と転倒板の損傷を防ぎ、かつ試料の混合も円滑に行われると言う効果を奏することができる。
【００１６】
特に水平軸による回転を利用しているので、その回転数により、目的の試料の混合ができ、更に、基板に対して転倒板を両面に設けておけば、水平軸の回転を反転させて実施することも可能である。
【考案を実施するための最良の形態】
【００１７】
本考案を実施するための最良の形態について、以下に図示しつつ詳説する。
【００１８】
図１は、本考案の試料混合装置の回転構造を示す概略の正面図で、混合装置１０の基台３１にはモータを制御する電源スイッチ３６、回転調節つまみ３７及び回転数表示窓３８が設けられた操作部３９が設けられ、また混合機構は操作部に隣接して垂直軸３２及びスタンドセンター受け３４の軸受け３３との間にモータの水平方向の駆動軸３５で駆動される回転軸１１Ｃが設けられている。、
そしてこの回転軸１１Ｃの周囲の基板取付け基部１１には回転軸で回転させられる複数個の基板１２が放射状に取り付けられている。本図では転倒板や試料容器などは省略しているが、後述の図面を参照すれば、それらの関係は理解できるであろう。
【００１９】
図２は本考案の一例として４つの基板を回転軸を有する混合装置の基板が水平及び垂直の位置にきたときの側面図であり、混合装置１０は、回転軸１１Ｃを駆動軸とし、その周囲の基板取付け基部１１に基板１２が取リ付けられ、該基板１２にはその両側縁の中央辺に転倒板１３を転動自在に取り付けるための取り付け部１２Ｃが、相対する転倒板１３の対応する位置に設けた取付け部１３Ｃと可動結合部１６を構成している。
図では転倒板１３の回転方向の前面が１３Ｂで、背面が１３Ｆで示され、前記可動結合部１６の作用により、基板に対し転倒板が転動可能に設けられ、これにより転倒板１３は基板１２に対してシーソー状に転動自在に形成されている。
なお、転動板１３の背面１３Ｆに試料容器取付け具１５が設けられ、これに試料容器２０が嵌着されている。
なお試料容器２０内の点線は試料の液面を示している。
【００２０】
また、基板の基部及び開放端の転倒板との接触面には熱可塑性樹脂の緩衝材１４が設けられ、基板の回転に応じて、転倒板の端部が衝突する際の衝撃を緩和するようになっている。このような状態のものを回転させれば、試料は基板と転倒板の衝突により強烈な混合作用を受けることになるが、緩衝材１４の存在は基板及び転倒板の破損を防ぎながら、温和な衝撃の減衰で十分液状試料が混合される。
なお、目的に応じて、回転速度、回転数等選定すればよい。
なお、基板の数は４つの基板に限定されるものではない。
【００２１】
ここで、前記の駆動装置は、動力としてギアードモータを備え、ボリューム抵抗で駆動軸の回転速度を適宜に調節可能として、正方向あるいは逆方向に回転しうるように駆動軸を備え、また、この駆動軸には、混合装置１０の回転軸１１Ｃに基板１２の取り付けのために基板取付け基部１１を設けてあり、これを螺子で固定するようにして、駆動軸に対して混合装置１０の基板を着脱自在にすることができるようにしてある。
前記の基板取付け基部１１は、その側周に放射状に複数の基板１２が取り付けられる。
【００２２】
図示の構造では、四角柱のアルミニウムブロックからなる基部１１の各周面に、合計４つの基板１２を取り付けているが、基板の数は６個でも８個でも差し支えないので、その場合は該基板取付け基部１１を必要な多角形にすればよい。なお、基板の数が多ければ装着される試料容器も増え、基板間の間隔が開放端側で大きくなるので、基板の外側開放端が試料の混合機能に有用であることが理解できるであろう。
【００２３】
基板１２は回転軸１１Ｃの回転に応じて回転するが、転倒板１３は図示のように回転板として機能する基板１２の表面すなわち、回転方向の背面に設けられる。基板１２と転倒板１３は放射方向の略中央で該転倒板が基板に対し転倒自在に結合していることが必要である。
すなわち、転倒板１３は各基板１２の回転方向に対して背面側に転動可能に支持しているので、基板の回動に従い、シーソー状に転倒して、転倒板１３の端部が基板１２の端部に回転時ある位置で衝撃的に接触するようになっている。
【００２４】
従って、転倒板に取付けられている試料容器内の液は衝撃で十分に混合されることになる。それらの状態は図２の４個の試料容器の取り付け状態から理解できるであろう。
【００２５】
図３は太い試料容器２０の３個を転倒板１３に板バネによる試料容器取付け具１５Ａを用い嵌着した場合を示し、図４は細い試料容器２０を試料容器枠２１に装着し、これを試料容器取付け具１５Ｂに嵌着した場合で、詳細には試料容器２０を同方向に並列した状態で挿着しうる挿入孔を有する試験管立てのような試料容器枠２１に装着し、これを試料容器取付け具１５Ｂに嵌着して多数同時装着をした場合である。
また、図５は、同じ方向に並列した複数の空間をなし、各空間の開口はプラスチックフィルムを貼付して密封する、所謂マイクロプレートのような区画型の試料容器２２の場合に、これを試料容器取付け具１５Ｂに嵌着した場合を示している。この場合は試験管のような試料容器を用いずに多数の試料を比較実験するのに有利である。
【００２６】
図６は基板１２と転倒板１３との結合状態の一例の部分断面図で、基板１２の側縁１２Ａに円孔１２Ｂを設けておき、転倒板の側縁の軸状突起１３Ａを挿入することにより転倒板１３の軸状突起１３Ａが基板１２の円孔１２Ｂ内で自由に転動し、転倒板をシーソー状に転動することとなる。
要は本装置を回動させると、少なくとも転倒板１３の開放端側が、重力の影響で急激にシーソー作用で転動して、基板の開放端に衝突することになる。なお、基板１２と転倒板１３との結合は他の構造に置き換えることも可能である。
【００２７】
加えて、基板１２と転倒した転倒板１３とが接触する部分には、その衝突を緩和する可撓性の熱可塑性樹脂部材よりなる緩衝材１４を設けて、基板１２と転倒板１３が衝突した際に、基板１２の基板表面１２Ｆ上で転倒板１３が弾み、減衰振動するようにして、試料容器２０の内部に封入した試料の混合や流動を促すと共に、衝突時の音を軽減するようにしてあることが好ましい。
【００２８】
上述の如く構成したことにより、本考案による混合装置１０は、駆動装置の駆動軸に取り付けられ、その駆動回転に従回動したときに、各転倒板１３は、その基板１２の回動に伴い従回動する途中で、一定の位置で順次に各基板１２の表面に転倒して衝突するようになり、試料容器２０に流動性の試料を封入したときには、試料の流動による重心の移動により、試料容器２０が転倒するときの衝撃はより大きくなる。
【００２９】
次に、図２を用いて、基板１２が時計回りに回動する際の、それに取り付けられた転倒板１３と、それに取り付けられた試料容器２０と、その内部に封入した試料の液面について詳説する。
ここで、図２において、基板１２の位置が０時の位置にある時の状態を第１の状態Ｐ１とし、そこから時計回りに回転が４５度毎に、その状態を第２の状態Ｐ２、第３の状態Ｐ３、第４の状態Ｐ４とし、試料容器２０の点線は、その内部に封入した流動性の試料の液面を示している。
【００３０】
第１の状態Ｐ１（垂直上面）では基板１２の裏面側に試料容器２０を備えた転倒板１３があって、試験液は下部に溜まっている。
基板の回転に従い第２の状態Ｐ２に移行するときに、転倒板１３は回動の外周側に転倒し基板１２に衝突し、試料容器２０の内部の試料は蓋側に流動すると共に、この衝突による衝撃で試料容器２０の内部の壁に付着した試料も蓋側に流動し、結局容器２０の内部の試料は基板と転倒板との衝撃により激しく混合することになる。
【００３１】
次に第３の状態Ｐ３では、前記の衝突から試料容器が垂直方向にたった状態となり、流動性の使用は下部になる蓋側に移動し、第４の状態のＰ４では転倒板１３は基板１２の下面に水平になり、試料は試料容器２０の下側となっている容器側面に移動している。
次いで第１の状態Ｐ１に戻る。以上をもって１つの周期としてこれを繰り返す。
【００３２】
このようにして、本考案による試料混合装置１０は、転倒板１３に取り付けた流動性の試料を封入した試料容器２０の内部では、試料容器２０の転動に伴い、繰り返し天地が逆転することで試料が混合されると共に、転倒するときの急な姿勢の変化と基板との衝撃で、試料容器２０の内壁に付着した試料が回転の放射方向に流動混合することで、その全量を効率よく混合することができる。
【産業上の利用可能性】
【００３３】
本考案による混合装置は、自然科学一般、生物学、化学、生化学、医学、農学、理化学、バイオテクノロジー分野での実験において、流動性の試料の経時的な混合をするときに、その間に試料の一部が沈殿することなく適切な結果を得ることができる。
【図面の簡単な説明】
【００３４】
【図１】試料混合装置の回転構造を示す概略の正面図
【図２】試料混合装置の状態を説明する側面図
【図３】試料容器を取り付けた転倒板の一例の斜視図
【図４】試料容器を取り付けた転倒板の他の一例の斜視図
【図５】試料容器を取り付けた転倒板の他の一例の斜視図
【図６】基板と転倒板の結合状態の他の一例の斜視図
【符号の説明】
【００３５】
１０    混合装置
１１    基板取付け基部
１１Ｃ  回転軸
１２    基板
１２Ａ  側縁
１２Ｂ  円孔
１２Ｆ  基板表面
１２Ｃ  取付け部
１３    転倒板
１３Ａ  転倒板の縁部の軸状突起
１３Ｆ  転倒板の背面
１３Ｂ  転倒板の前面
１３Ｃ  取付け部
１４    緩衝材
１５    試料容器取付け具
１５Ａ  試料容器取付け具
１５Ｂ  試料容器取付け具
１６    可動結合部
２０    試料容器
２１    試料容器枠
２２    区画型の試料容器
３１    基台
３２    垂直軸
３３    センター軸受け
３４    スタンドセンター受け
３５    駆動軸
３６    電源スイッチ
３７    回転調節つまみ
３８    回転数表示窓
３９    操作部
Ｐ１    第１の状態
Ｐ２    第２の状態    
Ｐ３    第３の状態
Ｐ４    第４の状態
【図１】
0003124425.tif 000003
【図２】
0003124425.tif 000004
【図３】
0003124425.tif 000005
【図４】
0003124425.tif 000006
【図５】
0003124425.tif 000007
【図６】
0003124425.tif 000008
【手続補正書】
【提出日】平成18年6月21日(2006.6.21)
【手続補正１】
【補正対象書類名】実用新案登録請求の範囲
【補正対象項目名】全文
【補正方法】変更
【補正の内容】
【実用新案登録請求の範囲】
【請求項１】
駆動装置の水平軸で回転しうる駆動軸に、
放射状に取り付けられた複数の基板と、
各基板の回動方向に対して背面側であって、基板の放射方向のほぼ中間位置にシーソー状に転動可能に取り付けられた試料容器の取り付け用転倒板とよりなり、
駆動軸の回動により、各基板が回動したときに、該転倒板が重力により転倒し、該転倒板の開放側先端が、基板の開放側先端に衝突するようにし、その後基板の回動に従い該衝突部が離隔した状態に復元することを反復し得るように構成したことを特徴とする試料容器内の試料混合装置。
【請求項２】
各基板の転倒板との衝突位置に、転倒板の衝突による衝撃を緩和する熱可塑性樹脂部材を設けたことを特徴とする請求項１に記載の試料混合装置。
【請求項３】
各転倒板に取り付けるべき試料容器を、該試料容器の取り付け用転倒板の放射方向に取り付けられるようにしたことを特徴とする請求項１または２に記載の試料混合装置。
【請求項４】
各転倒板に取り付けるべき複数の試料容器を同一方向に保持し得る試料容器枠に保持せしめ得るようにしたことを特徴とする請求項１または２に記載の試料混合装置。
【請求項５】
１個の試料容器が縦横の壁で複数の容器に相当する区画がされ、蓋をなし得る試料容器を有する構造であって、各転倒板の試料容器支持枠に保持せしめ得るようにしたことを特徴とする請求項１または２に記載の試料混合装置。
【請求項６】
基板の幅方向の両側縁のほぼ中央の対称位置に、基板の幅方向に開口する小円管部を設け、転倒板の側縁に設けた短尺の軸体を回動自在に挿入し、転倒板を基板に対してシーソー状に転動可能に構成したことを特徴とする請求項１、２、３、４または５のいずれかに記載の試料混合装置。
【手続補正２】
【補正対象書類名】明細書
【補正対象項目名】０００１
【補正方法】変更
【補正の内容】
【０００１】

本考案は、主として分子生物学、生化学での実験に有用な混合装置、特に、流動性の試料を混合すべく、混合すべき試料を封入した試料容器を水平軸のまわりに回動させ、それにより試料容器を天地を逆転させることで、その内部の試料を流動させ混合する混合装置であって、特に、装置の回動中の試料容器に衝撃震盪を与えることで、これに封入した混合すべき試料を効果的に混合しうるようにするものである。
【手続補正３】
【補正対象書類名】明細書
【補正対象項目名】０００９
【補正方法】変更
【補正の内容】
【０００９】
請求項１の考案による混合装置は、
駆動装置の水平軸で回転しうる駆動軸に、
放射状に取り付けられた複数の基板と、
各基板の回動方向に対して背面側であって、基板の放射方向のほぼ中間位置にシーソー状に転動可能に取り付けられた試料容器の取り付け用転倒板とよりなり、
駆動軸の回動により、各基板が回動したときに、該転倒板が重力により転倒し、該転倒板の開放側先端が、基板の開放側先端に衝突するようにし、その後基板の回動に従い該衝突部が離隔した状態に復元することを反復し得るように構成したことを特徴とする試料容器内の試料混合装置であり、
【手続補正４】
【補正対象書類名】明細書
【補正対象項目名】００１１
【補正方法】変更
【補正の内容】
【００１１】
請求項３の考案は、
各転倒板に取り付けるべき試料容器を、該試料容器の取り付け用転倒板の放射方向に取り付けられるようにしたことを特徴とする請求項１または２に記載の試料混合装置であり、
【手続補正５】
【補正対象書類名】明細書
【補正対象項目名】００１２
【補正方法】変更
【補正の内容】
【００１２】
請求項４の考案は、
各転倒板に取り付けるべき複数の試料容器を同一方向に保持し得る試料容器枠に保持せしめ得るようにしたことを特徴とする請求項１または２に記載の試料混合装置であり、
【手続補正６】
【補正対象書類名】明細書
【補正対象項目名】００１４
【補正方法】変更
【補正の内容】
【００１４】
請求項６の考案は、
基板の幅方向の両側縁のほぼ中央の対称位置に、基板の幅方向に開口する小円管部を設け、転倒板の側縁に設けた短尺の軸体を回動自在に挿入し、転倒板を基板に対してシーソー状に転動可能に構成したことを特徴とする請求項１、２、３、４または５のいずれかに記載の試料混合装置である。
【手続補正７】
【補正対象書類名】明細書
【補正対象項目名】００１５
【補正方法】変更
【補正の内容】
【００１５】
上述の如く構成した本考案による混合装置は、これに取り付けて混合すべき試料を封入した試料容器を、回転する基板の転倒板に取り付けて、これを水平軸で回動せしめることで、基板と転倒板の相対的位置関係を重力の影響下で変化させ、基板と転倒板の開放端の衝突と開放を反復することで、転倒板に装着された試料容器内の試料の効果的な混合を達成し、かつ試料容器のサイズや数に応じて、試験管状の試料容器のみならず、箱型の試料容器も使用し得るようにすることで、試験研究に応じた多数の試料の混合処理を有効に実施できるようにしたものであり、特に基板に対して転倒板がシーソー状に転動することで、開放端に於ける衝突効果により、試料の混合効果を向上するとともに、該衝突部に熱可塑性樹脂部材を設けることにより、衝撃が次第に吸収されることで、基板と転倒板の損傷を防ぎ、かつ試料の混合も円滑に行われると言う効果を奏することができる。
【手続補正８】
【補正対象書類名】明細書
【補正対象項目名】００２７
【補正方法】変更
【補正の内容】
【００２７】
加えて、基板１２と転倒した転倒板１３とが接触する部分には、その衝撃を緩和する可撓性の熱可塑性樹脂部材よりなる緩衝材１４を設けて、基板１２と転倒板１３が衝突した際に、基板１２の基板表面上で転倒板１３が弾み、減衰振動するようにして、試料容器２０の内部に封入した試料の混合や流動を促すと共に、衝突時の音を軽減するようにしてあることが好ましい。
【手続補正９】
【補正対象書類名】明細書
【補正対象項目名】００２９
【補正方法】変更
【補正の内容】
【００２９】
次に、図２を用いて、基板１２が時計回りに回動する際の、それに取り付けられた転倒板１３と、それに取り付けられた試料容器２０と、その内部に封入した試料の液面について詳説する。
ここで、図２において、基板１２の位置が０時の位置にある時の状態を第１の状態Ｐ１とし、そこから時計回りに回転が９０度毎に、その状態を第２の状態Ｐ２、第３の状態Ｐ３、第４の状態Ｐ４とし、試料容器２０の点線は、その内部に封入した流動性の試料の液面を示している。